(57)【要約】【課題】周辺セルの基準信号受信強度の測定を簡便に、かつ正確に行うことが可能な無線基地局を提供する。【解決手段】第１の基地局と、前記第１の基地局より狭い範囲をカバーする第２の基地局との間の干渉を調整するための前記第１の基地局の干渉調整に関する干渉調整情報を外部から取得する干渉情報取得部と、前記干渉情報取得部が外部から取得した前記干渉調整情報を用いて隣接セルの基準信号を測定する基準信号測定部と、を備える、無線基地局が提供される。【選択図】図１
2013038586.tif 000002
【特許請求の範囲】
【請求項１】
第１の基地局と、前記第１の基地局より狭い範囲をカバーする第２の基地局との間の干渉を調整するための前記第１の基地局の干渉調整に関する干渉調整情報を外部から取得する干渉情報取得部と、
前記干渉情報取得部が外部から取得した前記干渉調整情報を用いて隣接セルの基準信号を測定する基準信号測定部と、
を備える、無線基地局。
【請求項２】
前記干渉情報取得部は、前記干渉調整情報が前記第１の基地局から通知される小型基地局管理サーバから前記干渉調整情報を取得する、請求項１に記載の無線基地局。
【請求項３】
前記干渉情報取得部は、前記干渉調整情報を、一時的に前記第１の基地局へアクセスして該第１の基地局から取得する、請求項１に記載の無線基地局。
【請求項４】
前記干渉情報取得部は、前記第１の基地局と前記第２の基地局との間の干渉を調整するための前記第１の基地局の干渉調整に関する干渉調整情報がシステム情報として報知される前記第１の基地局の報知チャネルから前記干渉調整情報を取得する、請求項１に記載の無線基地局。
【請求項５】
前記第１の基地局からのダウンリンクを受信するダウンリンク受信部をさらに備え、
前記基準信号測定部は、前記ダウンリンク受信部が受信したダウンリンクにおける、前記第１の基地局の、予め定めた期間の無線フレームごとの基準信号を測定する、請求項１に記載の無線基地局。
【請求項６】
前記基準信号測定部は、前記第１の基地局が基準信号を含まない無線フレームを使用していることを検出すると、基準信号が含まれていることが予め分かっている特定の無線フレームのみを測定対象とする、請求項５に記載の無線基地局。
【請求項７】
前記干渉情報取得部は、前記無線基地局に接続する端末の前記無線基地局へのアクセスを一時的に不許可に設定して該端末を前記第１の基地局に接続させて前記第１の基地局から前記干渉調整情報を取得させた後に前記無線基地局へのアクセスを許可に戻し、該端末が取得した前記干渉調整情報を該端末から取得する、請求項１に記載の無線基地局。
【請求項８】
前記基準信号測定部は、前記第１の基地局の基準信号が含まれない無線フレームに対応する前記第２の無線基地局の無線フレームの基準信号を測定する、請求項１に記載の無線基地局。
【請求項９】
前記干渉調整情報は、基準信号が含まれない無線フレームの位置を示す情報である、請求項１に記載の無線基地局。
【請求項１０】
前記干渉調整情報は、前記第１の基地局の送信周波数帯域の中の部分的な周波数帯域に対する基準信号の送信電力を示す情報である、請求項１に記載の無線基地局。
【請求項１１】
第１の基地局と、前記第１の基地局より狭い範囲をカバーする第２の基地局との間の干渉を調整するための前記第１の基地局の干渉調整に関する干渉調整情報が通知される小型基地局管理サーバに基地局のセル識別子を指定して前記干渉調整情報を取得する干渉情報取得部と、
前記干渉情報取得部が取得した前記干渉調整情報を用いて隣接セルの基準信号を測定する基準信号測定部と、
を備える、無線端末。
【請求項１２】
第１の基地局と、前記第１の基地局より狭い範囲をカバーする第２の基地局との間の干渉を調整するための前記第１の基地局の干渉調整に関する干渉調整情報を外部から取得する干渉情報取得ステップと、
前記干渉情報取得ステップで外部から取得された前記干渉調整情報を用いて隣接セルの基準信号を測定する基準信号測定ステップと、
を備える、信号測定方法。
【請求項１３】
コンピュータに、
第１の基地局と、前記第１の基地局より狭い範囲をカバーする第２の基地局との間の干渉を調整するための前記第１の基地局の干渉調整に関する干渉調整情報を外部から取得する干渉情報取得ステップと、
前記干渉情報取得ステップで外部から取得された前記干渉調整情報を用いて隣接セルの基準信号を測定する基準信号測定ステップと、
を実行させる、コンピュータプログラム。
【発明の詳細な説明】
【技術分野】
【０００１】
本開示は、無線基地局、無線端末、信号測定方法及びコンピュータプログラムに関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式やＬＴＥ（Ｌｏｎｇ  Ｔｅｒｍ  Ｅｖｏｌｕｔｉｏｎ）方式などのデータ通信端末の普及により、データ通信トラフィックは急増している。特に大きな割合を占める、屋内におけるデータ通信のトラフィック対策が急務となっている。
【０００３】
屋内用小電力基地局（フェムトセル）は、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＦＴＴＨ（Ｆｉｂｅｒ  Ｔｏ  Ｔｈｅ  Ｈｏｍｅ）、ＣＡＴＶなどのブロードバンド回線（以下ＢＢ回線）を介してインターネットやオペレータのコア・ネットワークに接続するものである。フェムトセルは、コア・ネットワークを介さずにデータ通信端末とインターネット間を接続できるため、上述した急増するトラフィック対策として期待される。
【０００４】
またフェムトセルはユーザによって自宅やオフィス内に設置され、使用可能なユーザ（端末）を限定する事ができ、比較的小さいサービスエリア（カバレッジ）内でデータ通信端末と近距離で通信を行う。従って、フェムトセルは、良好な通信品質と高スループットの通信環境を提供する。
【０００５】
また小電力基地局としては、フェムトセル以外にも、使用可能ユーザを限定しないピコセルがあり、フェムトセルと同様に良好な通信品質と高スループットの通信環境を提供し、コア・ネットワークへのトラフィックの対策として期待され、このフェムトセルを制御する技術も開示されている。
【先行技術文献】
【特許文献】
【０００６】
【特許文献１】特開２０１０−２８３７５６号公報
【発明の概要】
【発明が解決しようとする課題】
【０００７】
フェムトセルは、他の周辺セルとの干渉を回避するようにその最大送信電力を決定する必要があるため、起動時あるいは定期的に、周辺基地局の基準信号受信強度を測定する必要がある。従来のフェムトセルによる基準信号受信強度の測定は、基準信号の送信電力が常に一定であるものと想定されており、複数のサブフレームでの基準信号を測定し平均化するなどして瞬時の電波状況の変化を受けないように測定を行っていた。
【０００８】
しかし、他の基地局間で干渉調整方法が取られた場合に、ダウンリンクのセル帯域幅内のサブバンドによって送信電力が異なったり、基準信号が含まれていないサブフレームが存在したりすると、フェムトセルが安定に確度の高い測定を行えなくなる問題がある。
【０００９】
またフェムトセルの周辺にピコセルが存在し、このピコセルがマクロセルから大きな干渉を受けている場合に、マクロセルの基準信号やデータが送信されているサブフレームでは、フェムトセルによるピコセルの基準信号の測定が正確に行えない問題がある。
【００１０】
そこで、本開示は、上記問題に鑑みてなされたものであり、本開示の目的とするところは、周辺セルの基準信号受信強度の測定を簡便に、かつ正確に行うことが可能な、新規かつ改良された無線基地局、無線端末、信号測定方法及びコンピュータプログラムを提供することにある。
【課題を解決するための手段】
【００１１】
本開示によれば、第１の基地局と、前記第１の基地局より狭い範囲をカバーする第２の基地局との間の干渉を調整するための前記第１の基地局の干渉調整に関する干渉調整情報を外部から取得する干渉情報取得部と、前記干渉情報取得部が外部から取得した前記干渉調整情報を用いて隣接セルの基準信号を測定する基準信号測定部と、を備える、無線基地局が提供される。
【００１２】
本開示によれば、干渉情報取得部が、第１の基地局と当該第１の基地局より狭い範囲をカバーする第２の基地局との間の干渉を調整するための前記第１の基地局の干渉調整に関する干渉調整情報を外部から取得し、干渉情報取得部が外部から取得した前記干渉調整情報を用いて、基準信号測定部が隣接セルの基準信号を測定する。これにより、周辺セルの基準信号受信強度の測定を簡便に、かつ正確に行うことが可能となる。
【００１３】
また、本開示によれば、第１の基地局と、前記第１の基地局より狭い範囲をカバーする第２の基地局との間の干渉を調整するための前記第１の基地局の干渉調整に関する干渉調整情報が通知される小型基地局管理サーバに基地局のセル識別子を指定して前記干渉調整情報を取得する干渉情報取得部と、前記干渉情報取得部が取得した前記干渉調整情報を用いて隣接セルの基準信号を測定する基準信号測定部と、を備える、無線端末が提供される。
【００１４】
また、本開示によれば、第１の基地局と、前記第１の基地局より狭い範囲をカバーする第２の基地局との間の干渉を調整するための前記第１の基地局の干渉調整に関する干渉調整情報を外部から取得する干渉情報取得ステップと、前記干渉情報取得ステップで外部から取得された前記干渉調整情報を用いて隣接セルの基準信号を測定する基準信号測定ステップと、を備える、信号測定方法が提供される。
【００１５】
また、本開示によれば、コンピュータに、第１の基地局と、前記第１の基地局より狭い範囲をカバーする第２の基地局との間の干渉を調整するための前記第１の基地局の干渉調整に関する干渉調整情報を外部から取得する干渉情報取得ステップと、前記干渉情報取得ステップで外部から取得された前記干渉調整情報を用いて隣接セルの基準信号を測定する基準信号測定ステップと、を実行させる、コンピュータプログラムが提供される。
【発明の効果】
【００１６】
以上説明したように本開示によれば、周辺セルの基準信号受信強度の測定を簡便に、かつ正確に行うことが可能な、新規かつ改良された無線基地局、無線端末、信号測定方法及びコンピュータプログラムを提供することができる。
【図面の簡単な説明】
【００１７】
【図１】一般的な通信システムの構成例を示す説明図である。
【図２】周波数多重（ＦＤＤ）のＬＴＥ方式におけるダウンリンク信号のフレームフォーマットの例を示す説明図である。
【図３】基地局による干渉回避の例を示す説明図である。
【図４】基地局による干渉回避の例を示す説明図である。
【図５】マクロセルの特定のサブフレームにデータやＣＲＳを挿入しないサブフレーム（Ａｌｍｏｓｔ  Ｂｌａｎｋ  Ｓｕｂｆｒａｍｅ（ＡＢＳ））を示す説明図である。
【図６】ＡＢＳのパターンの例を示す説明図である。
【図７】本開示の一実施形態に係るデータ通信システムの全体構成を示す説明図である。
【図８】本開示の一実施形態に係るフェムトセル２０に含まれる制御部２２の構成を示す説明図である。
【図９】本開示の一実施形態にかかるデータ通信システム１の動作を示す流れ図である。
【図１０】本開示の一実施形態にかかるデータ通信システム１の動作を示す流れ図である。
【図１１】本開示の一実施形態にかかるデータ通信システム１の動作を示す流れ図である。
【図１２】本開示の一実施形態にかかるデータ通信システム１の動作を示す流れ図である。
【図１３】本開示の一実施形態にかかるデータ通信システム１の動作を示す流れ図である。
【図１４】本開示の一実施形態にかかるフェムトセル２０における無線通信部２４の構成例を示す説明図である。
【図１５】本開示の一実施形態にかかるフェムトセル２０における無線通信部２４の構成例を示す説明図である。
【発明を実施するための形態】
【００１８】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１９】
なお、説明は以下の順序で行うものとする。
＜１．従来技術及びその問題点＞
＜２．本開示の一実施形態＞
［２−１．データ通信システムの全体構成］
［２−２．データ通信システムの動作］
［２−２−１．第１の動作例］
［２−２−２．第２の動作例］
［２−２−３．第３の動作例］
［２−２−４．第４の動作例］
［２−２−５．第５の動作例］
［２−３．無線通信部の構成例］
＜３．まとめ＞
【００２０】
＜１．従来技術及びその問題点＞
まず、本開示の好適な実施の形態について詳細に説明するにあたり、従来技術及びその問題点について説明する。
【００２１】
図１は、一般的な通信システムの構成例を示す説明図である。インターネットと、コア・ネットワークＡ、コア・ネットワークＢとが相互に接続されており、コア・ネットワークＡ、Ｂには、それぞれマクロセル及びピコセルが接続されている。そして図１には、コア・ネットワークＡのマクロセルと通信するマクロセル端末（Ｍａｃｒｏ  ＵＥ）及びピコセルと通信するピコセル端末（Ｐｉｃｏ  ＵＥ）が図示されている。
【００２２】
また、図１には、インターネットに接続されているフェムトセルと、そのフェムトセルと通信するフェムトセル端末（Ｆｅｍｔｏ  ＵＥ）とが図示されている。さらに図１には、フェムトセルを管理するためのフェムトセル管理サーバ（ＳＯＮサーバ）も図示されている。
【００２３】
無線基地局の最大送信電力とは、許容された周波数帯域内で無線局が送信する総合電力の許容値を指す。例えばＬＴＥ方式の基地局が端末へ送信するダウンリンクの物理チャネルおよび信号には、個別ユーザ向けデータを伝送する物理下り共用チャネル（ＰＤＳＣＨ）、ダウンリンクの制御情報を伝送する物理下り制御チャネル（ＰＤＣＣＨ）、端末がネットワークにアクセスするために必要なシステム情報を伝送する物理報知チャネル（ＰＢＣＨ）、端末に対しトランスポートブロックを再送すべきか否かを示すための確認応答を伝送する物理ハイブリッドＡＲＱ通知チャネル（ＰＨＩＣＨ）、ＰＤＣＣＨ復号に必要な情報を伝送する物理制御フォーマット通知チャネル（ＰＣＦＩＣＨ）、端末が変動する下り物理チャネルにおいて同期検波を行うためダウンリンクのチャネル推定に使用されるダウンリンク基準信号（Ｒｅｆｅｒｅｎｃｅ  Ｓｉｇｎａｌ）、端末のセルサーチを助けセルの物理レイヤセルＩＤ（ＰＣＩ）を検出できるようにする第１同期信号（ＰＳＳ）および第２同期信号（ＳＳＳ）などがある。物理下り共用チャネルなどは基地局がサービスしているユーザ数などに応じて電力が変動しているが、最大送信電力はこれら全てのチャネルを合わせた総合電力に許容される最大値を示す。
【００２４】
端末は、無線基地局が送信する同期用基準信号を受信することにより、同期確立及びチャネル推定等を行い、無線基地局との間でデータの送受信を行う。従って、端末において同期用基準信号を良好な受信品質で受信できるようにすることが、良好な通信品質を提供するために必要となる。この同期用基準信号とは、例えばＵＭＴＳ方式においては共通パイロットチャネル（ＣＰＩＣＨ）を指し、ＬＴＥ方式においてはダウンリンク基準信号の１つであるセル固有基準信号（ＣＲＳ）を指す。これらの同期用基準信号は最大送信電力に対して固定の電力比（例えば、最大送信電力−１０ｄＢ）にて一定の送信電力で送信される。
【００２５】
広域のカバレッジと大きなユーザ容量を提供する広域基地局（マクロセル）は、詳細な実地調査を行った上で設置場所や最大送信電力を決定する基地局であり、無線ネットワークの設計変更が無い限り、通常はその広域基地局の最大送信電力等は変更されない。一方、フェムトセルはユーザによって任意に設置される基地局であり、動作を開始するタイミングなどをオペレータが把握できないため、最適な最大送信電力などの無線パラメータを自立的に設定する機能がフェムトセルに必要とされる。この無線パラメータには最大送信電力の他にも、例えば、キャリア周波数、基地局ＩＤ、さらにＵＭＴＳ方式の場合にはスクランブルコードなどもある。
【００２６】
フェムトセルは使用可能なユーザ（端末）を限定する仕組みを持つため、干渉は重要な問題であり、特に同一周波数で運用されたフェムトセルとマクロセルとの間での干渉回避はフェムトセルには必須となる。フェムトセルにアクセスが許されていないマクロセルからサービスされている端末（マクロセル端末）は、フェムトセルに近づいてマクロセルからのダウンリンク信号よりフェムトセルからのダウンリンク信号が大きくなった場合にも、フェムトセルにハンドオーバーできず、フェムトセルが送信するダウンリンク信号がマクロセル端末にとっては干渉雑音となる。一方、フェムトセルからサービスされている端末（フェムトセル端末）にとっては、マクロセルから送信されるダウンリンク信号が干渉雑音となる。
【００２７】
フェムトセルを設置する際には、マクロセル端末がフェムトセルに近づいた際にフェムトセルからの干渉により通信不能とならないように、マクロセルとの干渉を避ける無線パラメータをフェムトセルに設定する必要がある。無線パラメータのうち、キャリア周波数、基地局ＩＤ、ＵＭＴＳ方式のスクランブルコードの設定に関しては、例えばフェムトセルがその起動時にフェムトセル管理サーバ（ＳＯＮサーバ）にアクセスし、同一オペレータが運用するリストを参照し、周辺の基地局による使用状況と重ならないように選択する方法がある。
【００２８】
一方、無線パラメータのうち最大送信電力に関しては、周辺基地局が送信する電波の強度をフェムトセルが測定して、これらの周辺基地局との干渉を出来るだけ抑えるようにフェムトセルの最大送信電力を自立的に設定することが必要となる。
【００２９】
例えば、３ＧＰＰ  ＴＲ  ３６．９２１には、ＬＴＥ方式のフェムトセル（ＨｅＮＢ）の送信電力の決定方法に関するガイドラインが示されている。このガイドラインでは、フェムトセル周辺の同一周波数チャネルを使用する基地局の基準信号の電力を測定し、フェムトセルの最大送信電力を決定する方法の例が次式で示されている。
【００３０】
【数１】
2013038586.tif 000003
【００３１】
これらのパラメータは。フェムトセル管理サーバから与えることが可能である。フェムトセルが同一チャネルに他の基地局を検出しなかった場合には、Pmax で許容された値を最大送信電力として採用すれば良い。
【００３２】
さらにフェムトセルは、隣接する周波数チャネルを使用する基地局との干渉を抑えるためにも、フェムトセルの最大送信電力を制限する必要がある。特に、隣接する周波数チャネルを別のオペレータが運用している場合には、フェムトセルの電波が隣接チャネルを使用する別のオペレータの端末に干渉を与え、別のオペレータのサービスを妨害しないように、フェムトセルの最大送信電力の制限方法が規格化されている。
【００３３】
2013038586.tif 000004
【００３４】
【数２】
2013038586.tif 000005
【００３５】
ダウンリンクの受信機能を持ったフェムトセルは、例えば以下に説明するように、端末と同様の動作で周辺基地局のセルサーチを行って周辺基地局とフレーム同期を取り、報知チャネル等から必要なシステム情報の復号と、基準信号の強度の測定が可能になる。
【００３６】
図２は、周波数多重（ＦＤＤ）のＬＴＥ方式におけるダウンリンク信号のフレームフォーマットの例を示す説明図である。フェムトセルは、個々の基地局に割り振られる物理レイヤセルＩＤ（ＰＣＩ）に対応した信号系列を使用した第１同期信号（ＰＳＳ）及び第２同期信号（ＳＳＳ）を検出することによって、ＰＣＩとフレームタイミングとを検出する。またＰＳＳ及びＳＳＳの無線フレーム内の配置は、周波数多重方式（ＦＤＤ）と時間多重方式（ＴＤＤ）とでは異なるため、フェムトセルはＰＳＳ及びＳＳＳの検出と同時に、サーチしているセルがＦＤＤシステムとＴＤＤシステムのどちらを使用しているかをも判定できる。基地局のシステム帯域幅が未知であっても簡易にセルサーチを可能にするために、同期信号はサービス帯域幅によらず常に中央の６リソースブロックの帯域に配置されている。
【００３７】
また、システム情報は、物理報知チャネル（ＰＢＣＨ）と物理下り共用チャネル（ＰＤＳＣＨ）にマッピングされている。
【００３８】
ＰＢＣＨには、ダウンリンクのセル帯域幅、送信アンテナ数、制御情報の構造などのマスター情報ブロック（ＭＩＢ）がマッピングされている。ＰＤＳＣＨには、端末がこのセルに在圏できるかどうかの情報、アップリンクの帯域幅、ランダム・アクセス・チャネルのパラメータ、アップリンク送信電力制御に関するパラメータ、セル再選択に関する情報、隣接セルに関する情報などのシステム情報ブロック（ＳＩＢ）がマッピングされている。フレームタイミングを検出したフェムトセルは、ＰＢＣＨにマッピングされたＭＩＢを復号し、ＭＩＢからダウンリンクのセル帯域幅を知り、ＰＤＣＣＨを受信してＳＩＢが割り当てられるＰＤＳＣＨのリソースブロックの位置を知り、対応するＰＤＳＣＨからＳＩＢ情報を復号する。
【００３９】
セル固有基準信号（ＣＲＳ）は、図２に示すように、周波数領域では６サブキャリア間隔で、スロット内の第１番目と最後から３番目のＯＦＤＭシンボルに挿入される。物理レイヤセルＩＤ（ＰＣＩ）によってセル固有基準信号が最初に配置されるサブキャリアの位置には数種類のパターンがあり、図２はそのうちの一つの例を示している。また、ダウンリンク複数アンテナ送信の場合に、アンテナごとの基準信号が重ならないようにアンテナポートごとにＯＦＤＭシンボルとサブキャリアにオフセットが付加される。
【００４０】
フェムトセルは、既に検出したＰＣＩと送信アンテナ数から、検出すべきセル固有基準信号（ＣＲＳ）の挿入されたリソース・エレメントの位置を知っているので、その受信強度を測定することができる。
【００４１】
基地局は、自身のカバレッジ及び通信品質を確保するために、他の基地局との干渉を抑えなければならない。同一のキャリア中心周波数で運用される基地局同士では、例えばＬＴＥ方式ではリソースブロック（あるいはサブバンド）の分離と送信電力制御とによって、干渉を抑えられる。また、異なるキャリア中心周波数で運用される基地局同士では、フィルタの周波数選択度による分離と送信電力制御によって、干渉が抑えられる。
【００４２】
図３及び図４は、基地局による干渉回避の例を示す説明図である。図３は、同一のキャリア中心周波数で運用されるマクロセル間で、干渉を受ける可能性のあるセル・エッジのユーザに割り当てるサブバンド周波数を、隣接する基地局間で重ならないようにするＦｒａｃｔｉｏｎａｌ  Ｆｒｅｑｕｅｎｃｙ  Ｒｅｕｓｅ（ＦＦＲ）による方式の例であり、図４は、Ｓｏｆｔ  Ｆｒｅｑｕｅｎｃｙ  Ｒｅｕｓｅ（ＳＦＲ）による方式の例である。
【００４３】
基地局は、自らが使用するＦｒｅｑｕｅｎｃｙ  Ｒｅｕｓｅの情報として、その基地局が送信するサブバンドごとの送信電力の情報（Ｒｅｌａｔｉｖｅ  Ｎａｒｒｏｗｂａｎｄ  Ｔｒａｎｓｍｉｔ  Ｐｏｗｅｒ（ＲＮＴＰ））を、隣接する他の基地局へ向けて基地局間バックボーン回線（Ｘ２）を用いたメッセージで通知することができる。このメッセージを受信した他の基地局が、セル・エッジのユーザに割り当てるサブバンド周波数を重ならないように配置していくことでネットワーク全体が形成できる。
【００４４】
マクロセル同士は、それぞれ同じような大きさのカバーエリアであり、複数のマクロセルで広域をカバーする、図３に示したような配置を取る。一方ピコセルは、マクロセルに比べてカバーエリアが小さく、局所的な地域をカバーさせる目的のため、図１に示したようにマクロセルとオーバーレイする配置となる。従って、マクロセルとピコセルとの間の干渉は非常に厳しくなる。
【００４５】
従って、ピコセルのユーザが使用する制御チャネルをマクロセルからの干渉から守るため、図５に示すように、マクロセルの特定のサブフレームにデータやＣＲＳを挿入しないサブフレーム（Ａｌｍｏｓｔ  Ｂｌａｎｋ  Ｓｕｂｆｒａｍｅ（ＡＢＳ））を使用し、ピコセルは重要な信号をこの時間に端末に伝送することができる。
【００４６】
マクロセルは、自らが使用するＡｌｍｏｓｔ  Ｂｌａｎｋ  Ｓｕｂｆｒａｍｅ（ＡＢＳ）のサブフレーム番号を、マクロセルのカバーエリア内にあるピコセルへ向けて基地局間バックボーン回線（Ｘ２）を用いたメッセージ（ＡＢＳ情報）で通知することができる。このメッセージを受信したピコセルは、ピコセルのユーザへの重要な情報をこのサブフレームに割り当てることで、干渉回避を行うことができる。
【００４７】
ＬＴＥ方式のトランスポートブロックの再送確認応答の周期の関係により、ＡＢＳを使用するサブフレームのパターンは４０ｍｓで繰り返している。図６は、ＡＢＳのパターンの例を示す説明図である。図６には、ＡＢＳの必要頻度に合わせた４種のＡＢＳのパターン例が示されている。例えばＦＤＤの場合、端末から送信するアップリンクデータに対するピコセルからの再送確認応答（ＡＣＫ／ＮＡＣＫ）は８サブフレーム（８ｍｓ）ごとに出るので、ＡＣＫ／ＮＡＣＫをマクロセルからの厳しい干渉から保護するためにはＡＢＳが８ｍｓで発生するのが望ましい。サブフレーム＃５はシステム情報ブロックを送信するサブフレームであるためＡＢＳには設定できない。図６に示したような４０ｍｓ間の４０の個々のサブフレームがＡＢＳか否かをビットマップで表したものがＡＢＳ情報として基地局間で通知される。
【００４８】
端末は、自らが在圏するマクロセルやピコセルなどの基地局（サービングセル）に対し、サービングセルの基準信号受信強度および隣接セルの基準信号受信強度を測定し報告しなければならない。これはセルラーシステムが、端末の移動に伴って端末が最適な基地局を選択するのを助け、端末が移動しながらデータ通信を継続することサポートするためである。隣接セルに関する情報はサービングセルのシステム情報ブロックに報知されており端末は容易に隣接セル情報を取得できる。また、干渉調整が行われている基地局をサービングセルとする端末は、測定すべきサブバンドやサブフレームの情報（測定対象情報）をサービングセルから上位レイヤのシグナリングで受けることが出来る。この測定対象情報に例えば基地局が使用するＡＢＳのパターン等が示される。
【００４９】
フェムトセルは、他の周辺セルとの干渉を回避するようにその最大送信電力を決定する必要があるため、起動時あるいは定期的に、周辺基地局の基準信号受信強度を測定する必要がある。従来のフェムトセルによる基準信号受信強度の測定は、基準信号の送信電力が常に一定であるものと想定されており、複数のサブフレームでの基準信号を測定し平均化するなどして瞬時の電波状況の変化を受けないように測定を行っていた。
【００５０】
しかし、他の基地局間で干渉調整方法が取られた場合に、ダウンリンクのセル帯域幅内のサブバンドによって送信電力が異なったり、基準信号が含まれていないサブフレームが存在したりすると、フェムトセルが安定に確度の高い測定を行えなくなる問題がある。
【００５１】
またフェムトセルの周辺にピコセルが存在しこのピコセルがマクロセルから大きな干渉を受けている場合に、マクロセルの基準信号やデータが送信されているサブフレームでは、フェムトセルによるピコセルの基準信号の測定が正確に行えない問題がある。
【００５２】
マクロセル内のフェムトセル数は膨大であり、またフェムトセルはユーザが設置・起動を行うため、オペレータからはフェムトセルの詳細な存在が把握できない、マクロセルとフェムトセル間に高速バックボーン回線も用意されていない、などの理由でマクロセルから干渉調整に関する情報をフェムトセル起動時にフェムトセルに通知することは困難となる。
【００５３】
また隣接周波数チャネルの別のオペレータ間では、標準化されていない特殊なメッセージをやり取りすることができず、別事業者のマクロセルから干渉調整に関する情報をフェムトセルに通知することは困難となる。
【００５４】
マクロセルにおけるＦｒｅｑｕｅｎｃｙ  Ｒｅｕｓｅ（同一の周波数を空間的に再利用すること）の使用状況は、フェムトセルがリソースブロックごとの基準信号強度を綿密に測定すれば分かるが、この作業によってオーバーヘッドが大きくなる。適切なオーバーヘッドで確度の高い基準信号の測定のためには、周辺基地局の基準信号の電力やサブフレームに関する情報（干渉調整に関する情報）を、フェムトセルが得る方法が必要になる。
【００５５】
そこで本開示は、このような背景においてなされたものであり、干渉を与えるかあるいは干渉を受ける基地局や端末同士間でのみ干渉調整に関する情報を伝送するだけでなく、干渉調整に直接関わらない基地局や端末が周辺基地局の使用する干渉調整に関する情報を検出できるようにして周辺基地局の強度測定を正確に行えるようにしたことを特徴とするものである。
【００５６】
例えばフェムトセルが、周辺セルにおけるリソースブロックに対する基準信号の送信電力に関する情報および基準信号が含まれるサブフレーム番号に関する情報を、フェムトセル管理サーバを介して入手することで、フェムトセルによる周辺セルの基準信号受信強度の測定を簡便に正確に行うことを可能とすることを特徴とするものである。
【００５７】
以上、従来技術及びその問題点、そして本開示の特徴について説明した。次に、本開示の一実施形態にかかるデータ通信システムの全体構成について説明する。
【００５８】
＜２．本開示の一実施形態＞
［２−１．データ通信システムの全体構成］
図７は、本開示の一実施形態に係るデータ通信システムの全体構成を示す説明図である。以下、図７を用いて本開示の一実施形態に係るデータ通信システムの全体構成について説明する。
【００５９】
図７に示したデータ通信システム１は、フェムトセルを含むデータ通信システムである。図７に示したように、本開示の一実施形態に係るデータ通信システム１は、データ通信端末１０ａ、１０ｂ、１０ｃと、フェムトセル（屋内小型基地局）２０と、インターネット３１と、フェムトセルゲートウェイ３２と、コア・ネットワーク３３と、ＢＢ回線モデム３４と、マクロセル（屋外基地局）３５と、ピコセル３６と、加入者情報サーバ３７と、フェムトセル管理サーバ４０と、を含んで構成される。
【００６０】
マクロセル（屋外基地局）３５は、セル半径が数百ｍから数十ｋｍの比較的広い範囲をカバーする基地局である。フェムトセル（屋内小型基地局）２０は、セル半径が数十ｍ程度の送信電力の小さい基地局である。フェムトセル２０は、マクロセルの電波が届きにくい屋内に設置して使用できる。フェムトセル２０は例えば、ＢＢ回線モデム３４、ＢＢ回線、インターネット３１、フェムトセルゲートウェイ３２を経由してコア・ネットワーク３３と接続する。
【００６１】
フェムトセル２０と、フェムトセルゲートウェイ３２の間の通信インタフェースは、例えばＩｕｈ（３ＧＰＰ  ＴＳ  ２５．４６７）という標準インタフェースで定義されている。
【００６２】
フェムトセル２０は、データ通信端末１０ａと無線通信を行う無線通信部２４と、フェムトセル管理サーバ４０やフェムトセルゲートウェイ３２と有線通信を行うＩＰ通信部２５と、周辺基地局のダウンリンク電波の測定のための無線通信部の周波数切替えの制御や、基準信号の測定制御などを行う制御部２２と、フェムトセル管理サーバ４０のアドレスやフェムトセルゲートウェイ３２のアドレス、フェムトセル２０にアクセス可能な端末のＩＤ（Ａｌｌｏｗｅｄ  ＣＳＧ  Ｌｉｓｔ）などを記憶している記憶部２６と、を含んで構成される。また記憶部２６には、キャリア周波数や最大送信電力などのフェムトセル２０の無線パラメータも記憶されている。
【００６３】
フェムトセル管理サーバ４０は、一つの事業者が扱うフェムトセルの立ち上げ準備やメンテナンスなどを行うサーバであり、複数のフェムトセルとの間の通信などを行うＩＰ通信部４２と、記憶部４１と、を含んで構成される。記憶部４１には、フェムトセル管理サーバ４０が管理するフェムトセルが使用している物理セルＩＤ、キャリア周波数、隣接セル情報、位置情報などが記憶されている。図７には、ある事業者（例えば事業者Ａとする）が運用する１つのフェムトセル管理サーバ４０のみを記載しているが、他の事業者も同様のサーバを運用している。なお、本開示においては、複数の事業者が管理するフェムトセルを１つのフェムトセル管理サーバで管理するようにしてもよい。
【００６４】
事業者Ａの運用するフェムトセル２０はフェムトセルゲートウェイ３２を介しコア・ネットワーク３３に接続している。同様に、マクロセル３５は事業者Ａの運用するマクロセルであり、ピコセル３６は事業者Ａの運用するピコセルである。事業者Ａはダウンリンクキャリア周波数Ａを運用しており、マクロセル３５、ピコセル３６、フェムトセル２０はダウンリンクにキャリア周波数Ａを送信している。
【００６５】
データ通信端末１０ａ、１０ｂ、１０ｃは、いずれもコア・ネットワーク３３を運用する事業者Ａと契約した端末であり、データ通信端末１０ａはフェムトセル２０を利用可能な屋内にあり、データ通信端末１０ｂはピコセル３６を介して通信しており、データ通信端末１０ｃはマクロセル３５を介して通信している。
【００６６】
マクロセル３５が送信するダウンリンク信号は、データ通信端末１０ｂにとって干渉雑音である。従って、マクロセル３５とピコセル３６との間で干渉調整が行われ、マクロセル３５が使用するＡＢＳの情報がピコセル３６に通知される。ピコセル３６は、データ通信端末１０ｂへの重要なダウンリンク信号を、マクロセル３５でＡＢＳに指定されたサブフレームの時間に相当するピコセル３６のダウンリンクのサブフレームに割り当てて送信する。
【００６７】
フェムトセル２０の電源が投入されると、フェムトセル２０はマクロセル３５を含む周辺基地局の電波をサーチし受信電力を測定し、基地局の報知情報を受信して入手する。またフェムトセル２０は、フェムトセル管理サーバ４０に接続し、予め登録してある位置情報の周辺にあたる基地局の情報を入手し、フェムトセル２０の測定結果と照合して位置を確認し、周辺基地局が使用する無線パラメータと重ならないような最適な無線パラメータを選択する。
【００６８】
フェムトセル２０が送信するダウンリンク信号はデータ通信端末１０ｃにとって干渉雑音であり、フェムトセルは定期的に周辺基地局の基準信号の強度の測定結果に従って干渉を最低限に抑えるようにフェムトセルの最大送信電力を決定する。
【００６９】
以上、図７を用いて本開示の一実施形態に係るデータ通信システムの全体構成について説明した。次に、本開示の一実施形態に係るフェムトセル２０ａに含まれる制御部２２ａの構成について説明する。
【００７０】
図８は、本開示の一実施形態に係るフェムトセル２０に含まれる制御部２２の構成を示す説明図である。以下、図８を用いて本開示の一実施形態に係るフェムトセル２０に含まれる制御部２２の構成について説明する。
【００７１】
図８に示したように、本開示の一実施形態に係るフェムトセル２０に含まれる制御部２２は、干渉情報取得部５１と、基準信号測定部５２と、電力設定部５３と、を含んで構成される。
【００７２】
干渉情報取得部５１は、フェムトセル管理サーバ４０に対して、マクロセル５５から通知される干渉調整に関する情報である干渉調整情報を要求することで、干渉調整情報を取得する。フェムトセル管理サーバ４０は、干渉情報取得部５１から干渉調整情報の要求があると、そのフェムトセル２０に対して干渉調整情報を返す。
【００７３】
基準信号測定部５２は、干渉情報取得部５１がフェムトセル管理サーバ４０から取得した干渉調整情報を用いて隣接セルの基準信号を測定する。電力設定部５３は、基準信号測定部５２が測定した隣接セルの基準信号を用いて、フェムトセル２０の送信電力を決定する。基準信号測定部５２による、干渉調整情報を用いた隣接セルの基準信号を測定方法と、電力設定部５３による、フェムトセル２０の送信電力の決定方法については、後に詳述する。
【００７４】
以上、図８を用いて本開示の一実施形態に係るフェムトセル２０に含まれる制御部２２の構成について説明した。なお、制御部２２は、例えば、制御部２２が、記憶部２６に格納されているコンピュータプログラムを読みだして実行することで、図８に示したような機能構成を有することができる。
【００７５】
次に、本開示の一実施形態に係るフェムトセル２０を含んだデータ通信システムの動作について説明する。
【００７６】
［２−２．データ通信システムの動作］
［２−２−１．第１の動作例］
第１の動作例として、マクロセルが周辺のＳＯＮサーバにＲＮＴＰ情報、ＡＢＳ情報を通知する方法について説明する。具体的には、複数のフェムトセル２０の設置や保守を管理するフェムトセル管理サーバ（ＳＯＮサーバ）４０が、フェムトセル２０がシステム情報ブロックで報知する隣接セル情報と、マクロセル３５が適宜アップデートする各マクロセル３５の干渉調整情報を保持している。そして、フェムトセル２０がフェムトセル管理サーバ４０に周辺基地局の干渉調整情報を問い合わせると、フェムトセル管理サーバ４０がフェムトセル２０の周辺にあるマクロセル３５の干渉調整情報をフェムトセル２０に通知する。以下にその動作を説明する。
【００７７】
隣接セルに関する情報は、サービングセルのシステム情報ブロックで報知しており、端末は隣接セル情報を容易に得ることができる。また端末が測定する必要のある隣接セルに関する情報は、サービングセルから上位レイヤのシグナリングで端末に通知される。隣接セル情報には、周辺基地局のキャリア周波数、基地局の物理レイヤセルＩＤ（ＰＣＩ）、測定値を比較し順位を決める際のオフセット値などが対応付けられており、端末は隣接セル情報を得ることで効率的に周辺セルの測定を行うことができる。マクロセルが報知する隣接セル情報には同エリアに多数存在するフェムトセルの情報を載せることができない。しかし、フェムトセルの報知する隣接セル情報には、周辺のマクロセル情報を載せることができる。
【００７８】
フェムトセル管理サーバ（ＳＯＮサーバ）４０は、フェムトセル２０の無線パラメータの設定や管理、メンテナンスといった、複数のフェムトセル２０の管理を行っている。フェムトセル２０は、フェムトセル管理サーバ４０のアドレスを記憶しており、起動時にフェムトセル管理サーバ４０にアクセスして必要な情報を入手できる。フェムトセル２０が報知する隣接セル情報も、フェムトセル管理サーバ４０に記憶されており、フェムトセル管理サーバ４０は、あるフェムトセルの周辺にどのマクロセルが存在するかを把握している。
【００７９】
図９は、本開示の一実施形態にかかるデータ通信システム１の動作を示す流れ図である。マクロセル３５が、例えばピコセル端末への干渉を軽減するため干渉調整機能を開始したり、干渉調整情報を変更したりする際は（ステップＳ１０１）、干渉調整を行う対象であるピコセルに干渉調整情報を通知する（ステップＳ１０２）だけでなく、フェムトセル管理サーバ４０にも干渉調整に関する情報を通知する（ステップＳ１０３）。マクロセル３５は、同じ基地局エリア内の多数のフェムトセル２０に干渉調整情報を通知することは難しい。しかし、フェムトセル管理サーバ４０は数も少なく、予めアドレスが分かっているので、マクロセル３５は、フェムトセル管理サーバ４０に干渉調整に関する情報を通知することが可能となる。
【００８０】
フェムトセル２０は、起動時に、フェムトセル管理サーバ４０に周辺セルの干渉調整情報を要求する（ステップＳ１０４）。フェムトセル管理サーバ４０は、このフェムトセル用に保持しているマクロセルに関する干渉調整情報を抽出し（ステップＳ１０５）、抽出した情報を要求のあったフェムトセル２０へ返す（ステップＳ１０６）。フェムトセル２０は、マクロセルに関する干渉調整情報を取得すると、周辺セルの測定を行い（ステップＳ１０７）、周辺セルの測定結果に基づいて、最大送信電力のアップデートを行う（ステップＳ１０８）。
【００８１】
フェムトセル２０がフェムトセル管理サーバ４０から得た干渉調整情報が、例えばサブバンドに対する送信電力の情報（ＲＮＴＰ情報）の場合は、フェムトセル２０は、マクロセル３５のダウンリンクの測定したサブバンドの基準信号強度と、ＲＮＴＰ情報にある同サブバンドの送信電力とから、マクロセル３５とフェムトセル２０との間の伝播損失（パスロス）を求め、フェムトセル２０の位置がマクロセルエリアのセル・サイトかセル・エッジかを判断する。そしてフェムトセル２０は、これに対応するサブバンドを選択し、選択したサブバンドの基準信号の測定値を基に、最大送信電力を決定することが可能となる。
【００８２】
フェムトセル２０がフェムトセル管理サーバ４０から得た干渉調整情報が、例えばデータやＣＲＳを挿入しないサブフレーム番号の情報（ＡＢＳ情報）の場合は、フェムトセル２０はＡＢＳに設定されていない（つまりＣＲＳが挿入されている）マクロセルのダウンリンクのサブフレームの基準信号のみを測定する。そしてフェムトセル２０は、この測定値を基に最大送信電力を決定することが可能となる。
【００８３】
初めてフェムトセル２０が起動した場合で、フェムトセル管理サーバ４０に隣接セル情報が無い場合は、フェムトセル２０がセルサーチを行い、周辺基地局のＰＣＩを検出し、このＰＣＩに対する干渉調整情報を要求することにより、対応する情報を得ることが可能になる。
【００８４】
図１０は、本開示の一実施形態にかかるデータ通信システム１の動作を示す流れ図である。マクロセル３５が、例えばピコセル端末への干渉を軽減するため干渉調整機能を開始したり、干渉調整情報を変更したりする際は（ステップＳ１１１）、干渉調整を行う対象であるピコセルに干渉調整情報を通知する（ステップＳ１１２）だけでなく、フェムトセル管理サーバ４０にも干渉調整に関する情報を通知する（ステップＳ１１３）。
【００８５】
そして、初めてフェムトセル２０が起動した場合で、フェムトセル管理サーバ４０に隣接セル情報が無い場合は、フェムトセル２０はセルサーチを行って（ステップＳ１１４）、周辺基地局のＰＣＩを検出し、このＰＣＩに対する干渉調整情報をフェムトセル管理サーバ４０に要求する（ステップＳ１１５）。
【００８６】
フェムトセル管理サーバ４０は、上記ステップＳ１１５でフェムトセル２０から要求のあったＰＣＩに対応する干渉調整情報を抽出し（ステップＳ１１６）、抽出した情報を要求のあったフェムトセル２０へ返す（ステップＳ１１７）。フェムトセル２０は、マクロセルに関する干渉調整情報を取得すると、周辺セルの測定を行い（ステップＳ１１８）、周辺セルの測定結果に基づいて、最大送信電力の設定を行う（ステップＳ１１９）。
【００８７】
１つのマクロセル３５のエリアに多数のフェムトセル２０が存在しているので、一つのマクロセル３５の干渉調整情報が多数のフェムトセル２０で共有される。つまり、フェムトセル管理サーバ４０がマクロセル３５の干渉調整情報を仲介することで、コア・ネットワーク内に膨大なシグナリング量を必要とせず、効率よく情報を共有できる。
【００８８】
そして、フェムトセル管理サーバ４０のアドレスや、干渉調整情報の要求方法をインターネット上に公開することによって、隣接周波数の他オペレータのフェムトセルからの干渉調整情報の問い合わせにも対応でき、またセルラー端末以外の端末（例えば測位用端末）であっても、周辺基地局のＰＣＩを検出して干渉調整情報をフェムトセル管理サーバ４０に問い合わせることで、正確に基準信号を測定することが可能になる。すなわち、セルラー端末以外の端末（例えば測位用端末）が、図８に示したような制御部２２の構成を有することで、周辺基地局のＰＣＩを検出して干渉調整情報をフェムトセル管理サーバ４０に問い合わせることで、正確に基準信号を測定することができる。
【００８９】
［２−２−２．第２の動作例］
第２の動作例として、サブバンドごとの送信電力の情報、基準信号が含まれないサブフレームの情報を報知チャネルで通知する方法について説明する。この方法は、基地局が送信するサブバンドごとの送信電力の情報（ＲＮＴＰ情報）、データやＣＲＳを挿入しないサブフレーム（Ａｌｍｏｓｔ  Ｂｌａｎｋ  Ｓｕｂｆｒａｍｅ（ＡＢＳ））を、基地局がどのサブフレーム番号に使用しているかの情報（ＡＢＳ情報）、などの干渉調整に関する情報を、その基地局の報知チャネルを使用したシステム情報として報知する方法である。
【００９０】
ダウンリンクの受信機能を持ったフェムトセル２０は、セルサーチの手順を使用して、測定しようとする基地局の第１同期信号（ＰＳＳ）および第２同期信号（ＳＳＳ）を検出して、ＰＣＩとフレームタイミングを検出し、物理報知チャネル（ＰＢＣＨ）にマッピングされたダウンリンクのセル帯域幅、送信アンテナ数、制御情報の構造などのマスター情報ブロック（ＭＩＢ）を検出する。そしてフェムトセル２０は、ＰＤＣＣＨを受信して、ＲＮＴＰ情報やＡＢＳ情報の含まれるシステム情報ブロック（ＳＩＢ）が割り当てられるＰＤＳＣＨのリソースブロックの位置を知り、対応するＰＤＳＣＨからシステム情報ブロックを復号することで、干渉調整に関する情報を得ることができる。
【００９１】
つまり、基地局に端末として位置登録してシグナリングを受けなくても、上記の手順を行う受信機能をフェムトセル２０に持たせることで、フェムトセル２０は、干渉調整に関する情報を得られる。干渉調整に関する情報を用いて、上述の第１の動作例と同様に、フェムトセル２０は周辺基地局の基準信号の正確な測定が可能になる。なお、ダウンリンクの受信機能を持ったフェムトセル２０の構成例については後に詳述する。
【００９２】
［２−２−３．第３の動作例］
第３の動作例として、フェムトセルがＵＥ機能を持ち、一時的にマクロセルから測定対象情報を得る方法について説明する。この方法は、フェムトセル２０が、測定すべきサブバンドやサブフレームの情報（測定対象情報）を、マクロセル３５のシグナリングによって得るのに必要な最低限の端末としての通信機能を持ち、起動時にマクロセル３５に一時的に端末としてアクセスし、測定対象情報をマクロセルから上位レイヤのシグナリングで受ける方法である。そして、フェムトセル２０は、測定対象情報をもとにマクロセル３５の基準信号の正確な測定を行って測定値を記憶し、その後端末の機能をＯＦＦにし、測定値を最大送信電力の決定に使用する方法である。
【００９３】
図１１は、本開示の一実施形態にかかるデータ通信システム１の動作を示す流れ図である。フェムトセルは端末機能をＯＮにすると（ステップＳ１２１）、セルサーチを開始し（ステップＳ１２２）、一番近いマクロセルのダウンリンクと同期を取る。フェムトセル２０の端末機能がアップリンクの物理ランダムアクセスチャネル（ＰＲＡＣＨ）を使用してランダムアクセスプリアンブルをマクロセル３５に送信すると（ステップＳ１２３）、マクロセル３５は、ランダムアクセス応答（ステップＳ１２４）でフェムトセル端末機能の送信タイミング調整値と、次のアップリンクリソースの割り当てを返す。
【００９４】
フェムトセル２０は、端末機能を用いて、ＲＲＣ接続要求（ステップＳ１２５）で端末識別子をネットワークに送る。マクロセル３５からは、ランダムアクセスに成功した確認応答が返却される（ステップＳ１２６）。そして、マクロセル３５が他の基地局と干渉調整を行っていれば、マクロセル３５は、ＲＲＣメッセージで、フェムトセル２０の端末機能が測定すべきサブバンドやサブフレームの情報（測定対象情報）を通知する（ステップＳ１２７）。
【００９５】
フェムトセル２０は、端末機能を用いて、上記ステップＳ１２７で通知される測定対象情報に従って周辺セルの測定を行い（ステップＳ１２８）、その測定対象情報および測定値をフェムトセル２０の記憶部２６に記憶する（ステップＳ１２９）。その後フェムトセル２０は、端末機能をＯＦＦにし、最大送信電力の設定を、先に記憶した周辺セルの測定値に基づいて行う（ステップＳ１３０）。
【００９６】
フェムトセル２０は、この方法で得たマクロセルの干渉調整に関する情報をフェムトセル管理サーバ４０に通知してもよい。フェムトセル管理サーバ４０がこれらフェムトセル２０から通知されてくる情報を集めて、複数のフェムトセル間でマクロセルの干渉調整に関する情報を共有することができる。
【００９７】
［２−２−４．第４の動作例］
第４の動作例として、フェムトセルの測定によりＡＢＳパターンを検出する方法について説明する。この方法は、ダウンリンクの受信機能を持ったフェムトセルが、ＡＢＳのパターンに従ってＡＢＳに設定されていないサブフレームの基準信号を測定する方法である。
【００９８】
ダウンリンクの受信機能を持ったフェムトセル２０は、セルサーチの手順を使用して、測定しようとする基地局の第１同期信号（ＰＳＳ）および第２同期信号（ＳＳＳ）を検出して、ＰＣＩとフレームタイミングを検出し、物理報知チャネル（ＰＢＣＨ）にマッピングされたダウンリンクのセル帯域幅、送信アンテナ数、制御情報の構造などのマスター情報ブロック（ＭＩＢ）を検出する。フェムトセル２０は、マクロセル３５が送信するダウンリンクの、一定期間のサブフレームごとの基準信号受信強度を複数回測定し、ＡＢＳが実施されているサブフレーム番号のパターンを検出する。ＬＴＥ方式のトランスポートブロックの再送確認応答の周期の関係により、ＡＢＳを使用するアブフレームのパターンは図５のように４０ｍｓで繰り返している。従って、４０ｍｓ間のサブフレームごとの基準信号強度を測定すれば、ＡＢＳのパターンが判別できる。
【００９９】
このＡＢＳパターンが一定の時間繰り返し使用されることを想定し、フェムトセル２０は、ＡＢＳのパターンを検出した後、予め定める一定期間、このＡＢＳのパターンに従ってＡＢＳに設定されていないサブフレームの基準信号を測定する。
【０１００】
フェムトセル２０は、この方法で得たマクロセルの干渉調整に関する情報をフェムトセル管理サーバ４０に通知してもよい。フェムトセル管理サーバ４０がこれらフェムトセル２０から通知されてくる情報を集めて、複数のフェムトセル間でマクロセルの干渉調整に関する情報を共有することができる。
【０１０１】
ＡＢＳのパターンを検出するまでには、４０ｍｓ間の測定を何度かする必要があるので時間が掛かる。一方、検出したＡＢＳのパターンをマクロセル３５がそれだけ継続して使用するかはフェムトセル２０からは分からない。図５に示したＡＢＳパターンにおいて、システム情報を送信するサブフレーム＃５はＡＢＳに設定されないので、フェムトセル２０は、上記の測定により、ＡＢＳが使用されていることが検出された時点で、サブフレーム＃５などのＡＢＳが設定されない特定のサブフレームのみを基準信号強度の測定対象とする方法でもよい。またフェムトセル２０は、図５に示したＡＢＳパターンを参照し、マクロセル３５の基準信号が含まれない無線フレームに対応するマクロセル３６の無線フレームの基準信号を測定する方法を用いても良い。
【０１０２】
［２−２−５．第５の動作例］
第５の動作例として、フェムトセル端末を一時的にマクロセルに移動させ干渉調整情報を得る方法について説明する。フェムトセル２０は、アクセス可能な端末を制限できる基地局である。端末がフェムトセル２０にアクセスできるか否かは、フェムトセル２０にアクセス可能な端末のリスト（Ａｌｌｏｗｅｄ  ＣＳＧ  Ｌｉｓｔ）によって制御される。Ａｌｌｏｗｅｄ  ＣＳＧ  Ｌｉｓｔ  （ＡＣＬ）は、コア・ネットワーク３３に接続されている加入者情報サーバ３７に、ユーザの加入者情報に対するユーザがアクセス可能なフェムトセルのセルＩＤ（ＰＣＩ）の関係として保管されている。加入者情報サーバ３７に保管されている情報は、必要に応じてコア・ネットワーク３３に接続されている各ノード、フェムトセル、端末のＵＩＭにコピーされて、アクセス制御に使用される。ＰＣＩの追加や削除などのＡｌｌｏｗｅｄ  ＣＳＧ  Ｌｉｓｔの管理はオペレータによっても、フェムトセルのオーナーによっても可能となっている。
【０１０３】
図１２は、本開示の一実施形態にかかるデータ通信システム１の動作を示す流れ図である。図１２には、フェムトセル端末（データ通信端末１０ａ）が一時的にマクロセル３５に移動し、測定対象情報を得るシーケンス例が示されている。図１２では、フェムトセル端末がデータ通信中のコネクテッドモードの場合を図示しているが、アイドルモード（データ通信中でない状態）であってもハンドオーバーの動作がセル再選択となるだけで同様の効果が期待できる。
【０１０４】
フェムトセル２０が、加入者情報サーバ３７にＡｌｌｏｗｅｄ  ＣＳＧ  Ｌｉｓｔの編集に関するメッセージを通知する（ステップＳ１３１）と、加入者情報サーバ３７はＡＣＬの修正を実行し（ステップＳ１３２）、フェムトセル２０及びデータ通信端末１０ａへアップデートしたＡＣＬを送信する（ステップＳ１３３、Ｓ１３４）。これにより、フェムトセル２０の圏内にあってフェムトセル２０からサービスを受けているデータ通信端末１０ａは、フェムトセル２０へのアクセスを一時的に許可されなくなる。
【０１０５】
データ通信端末１０ａは、フェムトセル２０から隣接基地局（マクロセル３５）への移動を指示される。データ通信端末１０ａは、ハンドオーバー手順によって一時的にマクロセル３５に移動し、マクロセル３５から継続して通信サービスの提供を受ける。具体的には、データ通信端末１０ａはフェムトセル２０にメジャメントレポートを送信すると（ステップＳ１３５）、フェムトセル２０はマクロセル３５に対してハンドオーバー要求を送信する（ステップＳ１３６）。そしてマクロセル３５はフェムトセル２０へハンドオーバー承認を送信し（ステップＳ１３７）、フェムトセル２０はデータ通信端末１０ａへハンドオーバー命令を送信する（ステップＳ１３８）。フェムトセル２０からのハンドオーバー命令を受信したデータ通信端末１０ａは、マクロセル３５とのダウンリンク同期を取る（ステップＳ１３９）。
【０１０６】
データ通信端末１０ａは、マクロセル３５に対して接続要求を送信すると（ステップＳ１４０）、マクロセル３５は、データ通信端末１０ａに対して接続許可を返す（ステップＳ１４１）。そしてデータ通信端末１０ａは、マクロセル３５から、データ通信端末１０ａが測定すべきサブバンドやサブフレームの情報（測定対象情報）を上位レイヤのシグナリングで受け取り（ステップＳ１４２）、測定対象情報を記憶しておく。
【０１０７】
一定期間をおいた後、フェムトセル２０は加入者情報サーバ３７に、データ通信端末１０ａをＡｌｌｏｗｅｄ  ＣＳＧ  Ｌｉｓｔに追加するよう、Ａｌｌｏｗｅｄ  ＣＳＧ  Ｌｉｓｔの編集に関するメッセージを通知し（ステップＳ１４３）、データ通信端末１０ａのフェムトセル２０へのアクセスを許可に戻す。加入者情報サーバ３７はＡＣＬの修正を実行し（ステップＳ１４４）、フェムトセル２０及びデータ通信端末１０ａへアップデートしたＡＣＬを送信する（ステップＳ１４５、Ｓ１４６）。
【０１０８】
もともとデータ通信端末１０ａは、フェムトセル２０の圏内にあって、フェムトセル２０の電波強度の強い場所にいる。従って、データ通信端末１０ａが周辺セル測定を行って（ステップＳ１４７）、メジャメントレポートをマクロセル３５に送ると（ステップＳ１４８）、マクロセル３５はメジャメントレポートに示されたフェムトセルのセルＩＤを参照し、フェムトセル２０へのハンドオーバーを判定する（ＨＯ判定、ステップＳ１４９）。
【０１０９】
マクロセル３５からハンドオーバー要求が、例えば加入者情報サーバ３７に送られると（ステップＳ１５０）、加入者情報サーバ３７は、Ａｌｌｏｗｅｄ  ＣＳＧ  ＬｉｓｔのフェムトセルのセルＩＤ、端末識別ＩＤ、加入者情報を照合して（アクセスチェック、ステップＳ１５１）、フェムトセル２０にハンドオーバー要求を転送する（ステップＳ１５２）。
【０１１０】
フェムトセル２０がマクロセル３５にハンドオーバー承認を送信すると（ステップＳ１５３）、マクロセル３５はデータ通信端末１０ａにフェムトセル２０へのハンドオーバー命令を送信する（ステップＳ１５４）。ハンドオーバー命令を受信したデータ通信端末１０ａは、再度フェムトセルにハンドオーバーする。具体的には、データ通信端末１０ａはフェムトセル２０との間でダウンリンク同期を取り（ステップＳ１５５）、フェムトセル２０に接続要求を送信すると（ステップＳ１５６）、フェムトセル２０はデータ通信端末１０ａに接続許可を返す（ステップＳ１５７）。
【０１１１】
フェムトセル２０は、データ通信端末１０ａに測定対象情報を要求する（ステップＳ１５８）。データ通信端末１０ａは、上記ステップＳ１４２でマクロセル３５から受け取ったマクロセルの測定対象情報を、フェムトセル２０に転送する（ステップＳ１５９）。この測定対象情報は、すなわちマクロセル３５の干渉調整情報に対応しており、フェムトセルが容易に干渉調整情報に変換できる。そしてフェムトセル２０は、最大送信電力をアップデートする（ステップＳ１６０）。
【０１１２】
このように、フェムトセル２０は、干渉調整に関する情報を用いて、上述の動作例１等と同様に、周辺基地局の基準信号の正確な測定が可能になる。データ通信端末１０ａがマクロセル３５から受け取ったマクロセル３５の測定対象情報をフェムトセル２０に転送する際、同時にデータ通信端末１０ａによる周辺セル測定値を転送しても良い。データ通信端末１０ａが周辺セル測定値を転送した場合には、フェムトセル２０は、周辺セル測定を行うことなく、データ通信端末１０ａの測定値を使用して最大送信電力を決定できる。
【０１１３】
図１３は、本開示の一実施形態にかかるデータ通信システム１の動作を示す流れ図である。図１３には、フェムトセル端末（データ通信端末１０ａ）が一時的にマクロセル３５に移動し、マクロセル３５からフェムトセル２０への干渉調整機能をトリガさせて、フェムトセル２０が測定対象情報を得るシーケンス例が示されている。
【０１１４】
フェムトセル２０が、加入者情報サーバ３７にＡｌｌｏｗｅｄ  ＣＳＧ  Ｌｉｓｔの編集に関するメッセージを通知する（ステップＳ１６１）と、加入者情報サーバ３７はＡＣＬの修正を実行し（ステップＳ１６２）、フェムトセル２０及びデータ通信端末１０ａへアップデートしたＡＣＬを送信する（ステップＳ１６３、Ｓ１６４）。これにより、フェムトセル２０の圏内にあってフェムトセル２０からサービスを受けているデータ通信端末１０ａは、フェムトセル２０へのアクセスを一時的に許可されなくなる。
【０１１５】
データ通信端末１０ａは、フェムトセル２０から隣接基地局（マクロセル３５）への移動を指示される。データ通信端末１０ａは、ハンドオーバー手順によって一時的にマクロセル３５に移動し、マクロセル３５から継続して通信サービスの提供を受ける。具体的には、データ通信端末１０ａはフェムトセル２０にメジャメントレポートを送信すると（ステップＳ１６５）、フェムトセル２０はマクロセル３５に対してハンドオーバー要求を送信する（ステップＳ１６６）。そしてマクロセル３５はフェムトセル２０へハンドオーバー承認を送信し（ステップＳ１６７）、フェムトセル２０はデータ通信端末１０ａへハンドオーバー命令を送信する（ステップＳ１６８）。フェムトセル２０からのハンドオーバー命令を受信したデータ通信端末１０ａは、マクロセル３５とのダウンリンク同期を取る（ステップＳ１６９）。
【０１１６】
データ通信端末１０ａは、マクロセル３５に対して接続要求を送信すると（ステップＳ１７０）、マクロセル３５は、データ通信端末１０ａに対して接続許可を返す（ステップＳ１７１）。そしてデータ通信端末１０ａは、マクロセル３５から、データ通信端末１０ａが測定すべきサブバンドやサブフレームの情報（測定対象情報）を上位レイヤのシグナリングで受け取る（ステップＳ１７２）。このシーケンスでは、データ通信端末１０ａは測定対象情報を記憶しておく必要は無い。
【０１１７】
もともとデータ通信端末１０ａはフェムトセル圏内にあってフェムトセルの電波強度の強い場所にいるので、データ通信端末１０ａが周辺セル測定を行って（ステップＳ１７３）、メジャメントレポート（ＰＣＩ）をマクロセル３５に送ると（ステップＳ１７４）、マクロセル３５はメジャメントレポートに示されたフェムトセルのセルＩＤを参照し、フェムトセルへのハンドオーバーを判定する（ＨＯ判定、ステップＳ１７５）。
【０１１８】
マクロセル３５からハンドオーバー要求が、例えば加入者情報サーバ３７に送られると（ステップＳ１７６）、加入者情報サーバ３７は、Ａｌｌｏｗｅｄ  ＣＳＧ  ＬｉｓｔのフェムトセルのセルＩＤ、端末識別ＩＤ、加入者情報を照合する（アクセスチェック、ステップＳ１７７）。この時点ではデータ通信端末１０ａのフェムトセル２０へのアクセスは不許可となっているので、加入者情報サーバ３７はマクロセル３５へアクセス不許可である旨を返信する（ステップＳ１７８）。
【０１１９】
データ通信端末１０ａのフェムトセル２０へのアクセスは不許可となっているので、マクロセル３５のハンドオーバー要求は拒否され、マクロセル３５はフェムトセル２０に対しＡＢＳの使用を求める干渉調整要求を通知する（ステップＳ１７９）。マクロセル３５が送出する干渉調整要求には、マクロセル３５が使用するＡＢＳ情報などの干渉調整情報を含んでいる。干渉調整情報を受け取ったフェムトセル２０は、周辺セル（マクロセル３５）の基準信号を測定し（ステップＳ１８０）、測定結果に基づいて、最大送信電力の設定を更新する（ステップＳ１８１）。フェムトセル２０は、干渉調整情報を用いて周辺セル（マクロセル３５）の基準信号を正確に測定出来る。
【０１２０】
一定期間をおいて、フェムトセル２０は加入者情報サーバ３７に、データ通信端末１０ａをＡｌｌｏｗｅｄ  ＣＳＧ  Ｌｉｓｔに追加するよう、Ａｌｌｏｗｅｄ  ＣＳＧ  Ｌｉｓｔの編集に関するメッセージを通知し（ステップＳ１８２）、データ通信端末１０ａのフェムトセル２０へのアクセスを許可に戻す。加入者情報サーバ３７はＡＣＬの修正を実行し（ステップＳ１８３）、フェムトセル２０及びデータ通信端末１０ａへアップデートしたＡＣＬを送信する（ステップＳ１８４、Ｓ１８５）。
【０１２１】
もともとデータ通信端末１０ａは、フェムトセル２０の圏内にあって、フェムトセル２０の電波強度の強い場所にいる。従って、データ通信端末１０ａが周辺セル測定を行って（ステップＳ１８６）、メジャメントレポートをマクロセル３５に送ると（ステップＳ１８７）、マクロセル３５はメジャメントレポートに示されたフェムトセルのセルＩＤを参照し、フェムトセル２０へのハンドオーバーを判定する（ＨＯ判定、ステップＳ１８８）。
【０１２２】
マクロセル３５からハンドオーバー要求が、例えば加入者情報サーバ３７に送られると（ステップＳ１８９）、加入者情報サーバ３７は、Ａｌｌｏｗｅｄ  ＣＳＧ  ＬｉｓｔのフェムトセルのセルＩＤ、端末識別ＩＤ、加入者情報を照合して（アクセスチェック、ステップＳ１９０）、フェムトセル２０にハンドオーバー要求を転送する（ステップＳ１９１）。
【０１２３】
フェムトセル２０がマクロセル３５にハンドオーバー承認を送信すると（ステップＳ１９２）、マクロセル３５はデータ通信端末１０ａにフェムトセル２０へのハンドオーバー命令を送信する（ステップＳ１９３）。ハンドオーバー命令を受信したデータ通信端末１０ａは、再度フェムトセルにハンドオーバーする。具体的には、データ通信端末１０ａはフェムトセル２０との間でダウンリンク同期を取り（ステップＳ１９４）、フェムトセル２０に接続要求を送信すると（ステップＳ１９５）、フェムトセル２０はデータ通信端末１０ａに接続許可を返す（ステップＳ１９６）。
【０１２４】
以上、本開示の一実施形態に係るフェムトセル２０を含んだデータ通信システムの動作について説明した。上述したように、本開示の一実施形態に係るフェムトセル２０を含んだデータ通信システムが動作することによって、本開示の一実施形態に係るフェムトセル２０は、マクロセルの基準信号の測定を簡便に、かつ正確に行うことができる。そして、本開示の一実施形態に係るフェムトセル２０は、マクロセルの基準信号を測定することで、干渉を最低限に抑えるように最大送信電力を決定することができる。
【０１２５】
［２−３．無線通信部の構成例］
次に、本開示の一実施形態に係るフェムトセル２０における、無線通信部２４の構成例について説明する。図１４は、本開示の一実施形態にかかるフェムトセル２０における無線通信部２４の構成例を示す説明図である。図１４に示したように、無線通信部２４は、アンテナ１０１と、デュプレクサ１０２と、ダウンリンク受信用アンテナ１０３と、ダウンリンク受信ＲＦフィルタ１０４と、受信処理部１１０と、送信処理部１２０と、ベースバンド処理部１３０と、ダウンリンク受信部１４０と、水晶発振器１５０と、周波数シンセサイザ１６０と、を含んで構成される。
【０１２６】
受信処理部１１０は、受信増幅器１１１と、受信ＲＦフィルタ１１２と、直交復調器１１３と、を含んで構成される。また送信処理部１２０は、直交変調器１２１と、送信可変利得増幅器１２２と、送信ＲＦフィルタ１２３と、送信電力増幅器１２４と、アイソレータ１２５と、を含んで構成される。ダウンリンク受信部１４０は、受信増幅器１４１と、ダウンリンク受信ＲＦフィルタ１４２と、直交復調器１４３と、を含んで構成される。
【０１２７】
アンテナ１０１で受信された信号はデュプレクサ１０２を経由して受信処理部１１０に送られる。受信処理部１１０は、デュプレクサ１０２から送られてきた信号を、受信増幅器１１１で増幅し、受信ＲＦフィルタ１１２で所定のフィルタリングを実行し、直交復調器１１３で復調する。復調された信号はベースバンド処理部１３０に送られる。
【０１２８】
また、ベースバンド処理部１３０から送信処理部１２０に送られてきた信号は、直交変調器１２１で変調され、送信可変利得増幅器１２２で増幅され、送信ＲＦフィルタ１２３で所定のフィルタリングが行われ、送信電力増幅器１２４で増幅され、信号の逆流を防ぐアイソレータ１２５を介してデュプレクサ１０２に送られる。そして、デュプレクサ１０２に送られた信号はアンテナ１０１から送信される。
【０１２９】
本開示の一実施形態に係るフェムトセル２０は、図１４に示すような無線通信部２４を備えることで、マクロセル３５からのダウンリンク信号を受信することができ、マクロセルの基準信号を測定して干渉を最低限に抑えるように最大送信電力を決定することができる。
【０１３０】
図１５は、本開示の一実施形態にかかるフェムトセル２０における無線通信部２４の構成例を示す説明図である。図１５に示したように、無線通信部２４は、アンテナ１０１、２０１と、デュプレクサ１０２、２０２と、受信処理部１１０と、送信処理部１２０と、ベースバンド処理部１３０と、水晶発振器１５０と、周波数シンセサイザ１６０、２６０と、ダウンリンク受信部２１０と、アップリンク送信部２２０と、を含んで構成される。
【０１３１】
受信処理部１１０は、受信増幅器１１１と、受信ＲＦフィルタ１１２と、直交復調器１１３と、を含んで構成される。また送信処理部１２０は、直交変調器１２１と、送信可変利得増幅器１２２と、送信ＲＦフィルタ１２３と、送信電力増幅器１２４と、アイソレータ１２５と、を含んで構成される。
【０１３２】
ダウンリンク部２１０は、受信増幅器２１１と、ダウンリンク受信ＲＦフィルタ２１２と、直交復調器２１３と、を含んで構成される。またアップリンク送信部２２０は、直交変調器２２１と、送信可変利得増幅器２２２と、アップリンク送信ＲＦフィルタ２２３と、送信電力増幅器２２４と、アイソレータ２２５と、を含んで構成される。
【０１３３】
アンテナ１０１で受信された信号はデュプレクサ１０２を経由して受信処理部１１０に送られる。受信処理部１１０は、デュプレクサ１０２から送られてきた信号を、受信増幅器１１１で増幅し、受信ＲＦフィルタ１１２で所定のフィルタリングを実行し、直交復調器１１３で復調する。復調された信号はベースバンド処理部１３０に送られる。
【０１３４】
また、ベースバンド処理部１３０から送信処理部１２０に送られてきた信号は、直交変調器１２１で変調され、送信可変利得増幅器１２２で増幅され、送信ＲＦフィルタ１２３で所定のフィルタリングが行われ、送信電力増幅器１２４で増幅され、信号の逆流を防ぐアイソレータ１２５を介してデュプレクサ１０２に送られる。そして、デュプレクサ１０２に送られた信号はアンテナ１０１から送信される。
【０１３５】
アンテナ２０１で受信されたマクロセル３５からのダウンリンク信号はデュプレクサ１０２を経由してダウンリンク部２１０に送られる。ダウンリンク部２１０は、アンテナ２０１で受信された信号を受信増幅器２１１で増幅し、受信ＲＦフィルタ２１２で所定のフィルタリングを実行し、直交復調器２１３で復調する。復調された信号はベースバンド処理部２３０に送られる。
【０１３６】
また、ベースバンド処理部１３０からアップリンク送信部２２０に送られてきたアップリンク信号は、直交変調器２２１で変調され、送信可変利得増幅器２２２で増幅され、送信ＲＦフィルタ２２３で所定のフィルタリングが行われ、送信電力増幅器２２４で増幅され、信号の逆流を防ぐアイソレータ２２５を介してデュプレクサ２０２に送られる。そして、デュプレクサ２０２に送られたアップリンク信号はアンテナ２０１から送信される。
【０１３７】
本開示の一実施形態に係るフェムトセル２０は、図１５に示すような無線通信部２４を備えることで、マクロセル３５からのダウンリンク信号を受信することができ、マクロセルの基準信号を測定して干渉を最低限に抑えるように最大送信電力を決定することができる。
【０１３８】
以上、本開示の一実施形態に係るフェムトセル２０における、無線通信部２４の構成例について説明した。
【０１３９】
＜３．まとめ＞
以上説明したように本開示の一実施形態によれば、フェムトセル２０が、周辺基地局（例えばマクロセル３５）のダウンリンク基準信号電力を測定し、周辺基地局との干渉を軽減するためのフェムトセルの適正な最大送信電力を自立的に決定する。かかる方法において、フェムトセル２０は、予め周辺基地局における基準信号を含むサブフレームのパターン、周辺基地局における無線リソースごとの送信電力パターンを知ることで、フェムトセルによる測定を簡便に正確に行うことが可能になる。
【０１４０】
また本開示の一実施形態によれば、フェムトセル２０は、周辺基地局とセル間干渉制御を行っている他の基地局のダウンリンク基準信号の測定も正確に行えるようになる。
【０１４１】
本開示の一実施形態によれば、ネットワーク全体の干渉に対する調整が素早く安定し、ネットワーク全体のキャパシティが向上する。すなわち、大量のフェムトセルが起動する度に、それぞれのフェムトセルに対して周辺基地局が干渉調整情報等を通知する必要が無く、シグナリングによるオーバーヘッドを増やさすこと無く、ネットワーク全体の干渉調整を効率的に行える。また、フェムトセル以外のダウンリンク基準信号電力を測定する端末（例えば測位用端末）の測定精度も高まる。
【０１４２】
なお、本明細書において説明した各装置による一連の制御処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体に予め格納される。そして、各プログラムは、例えば、実行時にＲＡＭに読み込まれ、プロセッサにより実行される。
【０１４３】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４４】
なお、本技術は以下のような構成も取ることができる。
（１）
第１の基地局と、前記第１の基地局より狭い範囲をカバーする第２の基地局との間の干渉を調整するための前記第１の基地局の干渉調整に関する干渉調整情報を外部から取得する干渉情報取得部と、
前記干渉情報取得部が外部から取得した前記干渉調整情報を用いて隣接セルの基準信号を測定する基準信号測定部と、
を備える、無線基地局。
（２）
前記干渉情報取得部は、前記干渉調整情報が前記第１の基地局から通知される小型基地局管理サーバから前記干渉調整情報を取得する、前記（１）に記載の無線基地局。
（３）
前記干渉情報取得部は、前記干渉調整情報を、一時的に前記第１の基地局へアクセスして該第１の基地局から取得する、前記（１）または（２）に記載の無線基地局。
（４）
前記干渉情報取得部は、前記第１の基地局と前記第２の基地局との間の干渉を調整するための前記第１の基地局の干渉調整に関する干渉調整情報がシステム情報として報知される前記第１の基地局の報知チャネルから前記干渉調整情報を取得する、前記（１）から（３）のいずれかに記載の無線基地局。
（５）
前記第１の基地局からのダウンリンクを受信するダウンリンク受信部をさらに備え、
前記基準信号測定部は、前記ダウンリンク受信部が受信したダウンリンクにおける、前記第１の基地局の、予め定めた期間の無線フレームごとの基準信号を測定する、前記（１）から（４）のいずれかに記載の無線基地局。
（６）
前記基準信号測定部は、前記第１の基地局が基準信号を含まない無線フレームを使用していることを検出すると、基準信号が含まれていることが予め分かっている特定の無線フレームのみを測定対象とする、前記（５）に記載の無線基地局。
（７）
前記干渉情報取得部は、前記無線基地局に接続する端末の前記無線基地局へのアクセスを一時的に不許可に設定して該端末を前記第１の基地局に接続させて前記第１の基地局から前記干渉調整情報を取得させた後に前記無線基地局へのアクセスを許可に戻し、該端末が取得した前記干渉調整情報を該端末から取得する、前記（１）から（６）のいずれかに記載の無線基地局。
（８）
前記基準信号測定部は、前記第１の基地局の基準信号が含まれない無線フレームに対応する前記第２の無線基地局の無線フレームの基準信号を測定する、前記（１）から（７）のいずれかに記載の無線基地局。
（９）
前記干渉調整情報は、基準信号が含まれない無線フレームの位置を示す情報である、前記（１）から（８）のいずれかに記載の無線基地局。
（１０）
前記干渉調整情報は、前記第１の基地局の送信周波数帯域の中の部分的な周波数帯域に対する基準信号の送信電力を示す情報である、前記（１）から（９）のいずれかに記載の無線基地局。
（１１）
第１の基地局と、前記第１の基地局より狭い範囲をカバーする第２の基地局との間の干渉を調整するための前記第１の基地局の干渉調整に関する干渉調整情報が通知される小型基地局管理サーバに基地局のセル識別子を指定して前記干渉調整情報を取得する干渉情報取得部と、
前記干渉情報取得部が取得した前記干渉調整情報を用いて隣接セルの基準信号を測定する基準信号測定部と、
を備える、無線端末。
（１２）
第１の基地局と、前記第１の基地局より狭い範囲をカバーする第２の基地局との間の干渉を調整するための前記第１の基地局の干渉調整に関する干渉調整情報を外部から取得する干渉情報取得ステップと、
前記干渉情報取得ステップで外部から取得された前記干渉調整情報を用いて隣接セルの基準信号を測定する基準信号測定ステップと、
を備える、信号測定方法。
（１３）
コンピュータに、
第１の基地局と、前記第１の基地局より狭い範囲をカバーする第２の基地局との間の干渉を調整するための前記第１の基地局の干渉調整に関する干渉調整情報を外部から取得する干渉情報取得ステップと、
前記干渉情報取得ステップで外部から取得された前記干渉調整情報を用いて隣接セルの基準信号を測定する基準信号測定ステップと、
を実行させる、コンピュータプログラム。
【符号の説明】
【０１４５】
１    データ通信システム
１０ａ、１０ｂ、１０ｃ    データ通信端末
２０    フェムトセル
３１    インターネット
３２    フェムトセルゲートウェイ
３３    コア・ネットワーク
３４    ＢＢ回線モデム
３５    マクロセル
４０    フェムトセル管理サーバ
５１    干渉情報取得部
５２    基準信号測定部
５３    電力設定部
１０１    アンテナ
１０２    デュプレクサ
１０３    ダウンリンク受信用アンテナ
１１０    受信処理部
１１１    受信増幅器
１１２    受信ＲＦフィルタ
１１３    直交復調器
１２０    送信処理部
１２１    直交変調器
１２２    送信可変利得増幅器
１２３    送信ＲＦフィルタ
１２４    送信電力増幅器
１２５    アイソレータ
１３０    ベースバンド処理部
１５０    水晶発振器
１６０    周波数シンセサイザ
【図１】
2013038586.tif 000006
【図２】
2013038586.tif 000007
【図３】
2013038586.tif 000008
【図４】
2013038586.tif 000009
【図５】
2013038586.tif 000010
【図６】
2013038586.tif 000011
【図７】
2013038586.tif 000012
【図８】
2013038586.tif 000013
【図９】
2013038586.tif 000014
【図１０】
2013038586.tif 000015
【図１１】
2013038586.tif 000016
【図１２】
2013038586.tif 000017
【図１３】
2013038586.tif 000018
【図１４】
2013038586.tif 000019
【図１５】
2013038586.tif 000020